(57)【特許請求の範囲】
【請求項１】
自動販売機本体に冷凍サイクル構成部品を収納する機械室と、前記機械室の背面に形成した開口部と、前記開口部を覆う金属鋼線の表面に樹脂コーティングを施したワイヤーカバーと、前記機械室の背面に空間を形成するためのスペーサとを備え、前記スペーサは前記ワイヤーカバーを介して固定手段で前記機械室構成面に固定されるとともに、前記スペーサは樹脂成形され前記スペーサの機械室対向面にラウンド部を備えたことを特徴とする自動販売機。
【請求項２】
前記ラウンド部は前記スペーサの外周縁に亘って形成したことを特徴とする請求項１に記載の自動販売機。
【請求項３】
前記ワイヤーカバーは所定のピッチを有し、前記スペーサの直径は前記ワイヤーカバーの少なくともピッチ以上としたことを特徴とする請求項１または２に記載の自動販売機。
【請求項４】
前記ワイヤーカバーは上下方向の一端面を前記機械室構成面に差し込み、他端面近傍に前記スペーサを固定したことを特徴とする請求項１から３のいずれか一項に記載の自動販売機。
【請求項５】
前記スペーサの奥面に凹部を有し、前記凹部内に前記固定手段の取付部を設けたことを特徴とする請求項１から４のいずれか一項に記載の自動販売機。
【発明の詳細な説明】
【技術分野】
【０００１】
本発明は、自動販売機の背面に空間を形成するためのスペーサに関するものである。
【背景技術】
【０００２】
近年、自動販売機は、本体下方に備えた圧縮機等を収納する機械室の熱を効率よく排熱するため、背面に空間を形成するためのスペーサを備えたものがある。また、背面に空間を形成しない場合は、背面以外のたとえば側面にダクトを形成して排熱するものがある（例えば、特許文献１参照）。
【先行技術文献】
【特許文献】
【０００３】
【特許文献１】特開平７−１２７９６４号公報
【発明の概要】
【発明が解決しようとする課題】
【０００４】
しかしながら、上記従来の自動販売機では、背面に空間を形成せず側面にダクトを形成して排熱する場合、別途専用の部材が必要となり、コストが高くなるという課題を有している。また、背面に空間を形成するスペーサとしては、後方の壁等に損傷を与えないようにゴム系のたとえば合成ゴムでスペーサ本体を形成し、本体背面に固着するための固定部を備え、固定部に鉄ワッシャーを内蔵してビス等で本体に固定して容易に外れないようにする必要がある。しかしながら、合成ゴムはコスト的に高くなるという課題を有していた。
【０００５】
本発明は上記従来の課題を解決するものであり、背面に空間を形成する自動販売機に関し、安価で品質も確保できる背面スペーサを備えた自動販売機を提供することを目的とする。
【課題を解決するための手段】
【０００６】
上記従来の課題を解決するために、本発明の自動販売機は、自動販売機本体に冷凍サイクル構成部品を収納する機械室と、前記機械室の背面に形成した開口部と、前記開口部を覆う金属鋼線の表面に樹脂コーティングを施したワイヤーカバーと、前記機械室の背面に空間を形成するためのスペーサとを備え、前記スペーサは前記ワイヤーカバーを介して固定手段で前記機械室構成面に固定されるとともに、前記スペーサは樹脂成形され前記スペーサの機械室対向面にラウンド部を備えたものである。
【０００７】
これによって、機械室構成面にワイヤーカバーを介して樹脂成形したスペーサを固定した際に、スペーサのラウンド部がワイヤーカバー表面の樹脂コーティングを損傷することがなく、また、スペーサは樹脂で成形しているため、低コスト化を図ることができるとともに成形性もよい。
【発明の効果】
【０００８】
本発明の自動販売機は、スペーサはワイヤーカバーを介して固定手段で機械室構成面に固定する際、スペーサのラウンド部がワイヤーカバー表面の樹脂コーティングを損傷することがなく、ワイヤーカバーの防錆を保持でき信頼性を確保することができる。また、スペーサは樹脂で成形しているため、低コスト化を図ることができるとともに、設計自由度も高めることができる。
【図面の簡単な説明】
【０００９】
【図１】本発明の実施の形態１における自動販売機の背面斜視図
【図２】同実施の形態における自動販売機の背面図
【図３】同実施の形態における自動販売機の側面図
【図４】同実施の形態における自動販売機の要部拡大側面図
【図５】同実施の形態における自動販売機の要部拡大斜視図
【図６】同実施の形態における自動販売機の機械室の背面斜視図
【発明を実施するための形態】
【００１０】
請求項１に記載の発明は、自動販売機本体に冷凍サイクル構成部品を収納する機械室と、前記機械室の背面に形成した開口部と、前記開口部を覆う金属鋼線の表面に樹脂コーティングを施したワイヤーカバーと、前記機械室の背面に空間を形成するためのスペーサとを備え、前記スペーサは前記ワイヤーカバーを介して固定手段で前記機械室構成面に固定されるとともに、前記スペーサは樹脂成形され前記スペーサの機械室対向面にラウンド部を備えたものであり、スペーサはワイヤーカバーを介して固定手段で機械室構成面に固定する際、スペーサのラウンド部がワイヤーカバー表面の樹脂コーティングを損傷することがなく、ワイヤーカバーの防錆を保持でき信頼性を確保することができる。また、スペーサは樹脂で成形しているため、低コスト化を図ることができるとともに、設計自由度も高めることができる。
【００１１】
請求項２に記載の発明は、請求項１に記載の発明において、前記ラウンド部は前記スペーサの外周縁に亘って形成したものであり、より確実に、スペーサのラウンド部がワイヤーカバー表面の樹脂コーティングを損傷することがなく、ワイヤーカバーの防錆を保持でき信頼性を確保することができる。
【００１２】
請求項３に記載の発明は、請求項１または２に記載の発明において、前記ワイヤーカバーは所定のピッチを有し、前記スペーサの直径は前記ワイヤーカバーの少なくともピッチ以上としたものであり、ワイヤーカバーを介してのスペーサの固定が確実となり、自動販売機の背面に形成する空間を確実に保持することができる。
【００１３】
請求項４に記載の発明は、請求項１から３のいずれか一項に記載の発明において、前記ワイヤーカバーは上下方向の一端面を前記機械室構成面に差し込み、他端面近傍に前記スペーサを固定したものであり、ワイヤーカバーの組立性を高めながらワイヤーカバーの固定が確実となり作業性を高めることができる。
【００１４】
請求項５に記載の発明は、請求項１から４のいずれか一項に記載の発明において、前記スペーサの奥面に凹部を有し、前記凹部内に前記固定手段の取付部を設けたものであり、固定手段がスペーサの奥面より後方に位置することなく、確実にスペーサを機械室構成面に固定することができる。
【００１５】
以下、本発明の実施の形態について、図面を参照しながら説明する。なお、この実施の形態によってこの発明が限定されるものではない。
【００１６】
（実施の形態１）
図１は本発明の実施の形態１における自動販売機の背面斜視図、図２は同実施の形態における自動販売機の背面図、図３は同実施の形態における自動販売機の側面図、図４は同実施の形態における自動販売機の要部拡大側面図、図５は同実施の形態における自動販売機の要部拡大斜視図、図６は同実施の形態における自動販売機の機械室の背面斜視図である。
【００１７】
図１〜図６において、自動販売機１は内部に断熱材で仕切られた収納室を備え、収納室内には缶、ビン等を収納している。また、収納室下方には機械室２が断熱壁を介して区画形成されている。機械室２内には収納室を冷却または加温するための冷却加温装置である、圧縮機、熱交換器、送風機等を備え、収納室内下部の熱交換器と冷凍サイクルを構成して収納室内を冷却、加温制御される。機械室２の背面は排熱のための開口部３を有し、開口部３を覆う金属鋼線の表面に樹脂コーティングを施したワイヤーカバー４を備えている。そして、機械室２の背面後方に空間を形成するためのスペーサ５はワイヤーカバー４を介して固定手段であるビス６で開口部３の周縁面に固定される。
【００１８】
そして、スペーサ５は樹脂で略円筒状に成形され、スペーサ５のワイヤーカバー４に接する面、すなわち機械室対向面の外周縁に亘ってラウンド部７を備えている。なお、スペーサ５のワイヤーカバー４に接する面に形成するラウンド部７のラウンド寸法は、ワイヤーの径よりやや大きい寸法としている。
【００１９】
また、ワイヤーカバー４は、水平、垂直方向に所定のピッチでワイヤーを格子状に形成し、スペーサ５の直径は、少なくとも水平、垂直方向のどちらかのワイヤーの少なくともピッチ以上としている。
【００２０】
また、ワイヤーカバー４は、垂直（上下）方向の下端面に突出部８を有し、突出部８を機械室構成面の下辺に差し込んで仮固定し、その後、ワイヤーカバー４の上部左右の２箇所を固定手段であるビス６で開口部３の周縁面にスペーサ５を固定する。
【００２１】
また、スペーサ５の奥面に凹部９を有し、凹部９内に固定手段であるビス６の取付部を一体成形で設けている。
【００２２】
以上のように構成された自動販売機について、以下その動作、作用を説明する。
【００２３】
自動販売機１は、内部に断熱材で仕切られた収納室を備え、収納室内には缶、ビン等を収納しており、収納室内は冷却加温装置の運転により所定の温度に制御されている。そして、利用者が貨幣あるいは電子マネー等で商品を選択することで購入可能としている。
【００２４】
自動販売機１は通常、屋内または屋外に設置され、設置スペースを有効に利用するために背面の空間を極力少なくしようと背面を壁に押し付けて設置する場合が多い。この時、機械室２内には収納室を冷却または加温するための冷却加温装置の圧縮機、熱交換器、送風機等を備えており、機械室２内で発生した熱を効率よく排熱するため、機械室２の背面は排熱のための開口部３を有し、さらに安全性を確保するために開口部３を覆う金属鋼線の表面に樹脂コーティングを施したワイヤーカバー４を備えている。
【００２５】
そして、機械室２の背面後方に空間を形成するためのスペーサ５はワイヤーカバー４を介して固定手段であるビス６で開口部３の周縁面に固定されるので、背面の空間を極力少なくしようと背面を壁に押し付けて設置する場合においても、確実に機械室２の背面は排熱のための空間を確保することができる。また、スペーサは樹脂で成形しているため、従来の合成ゴムに比べ、低コスト化を図ることができるとともに、押圧による変形も少なく、背面の空間寸法を確実に確保することができる。また、樹脂成形のため設計自由度も高めることができる。
【００２６】
このとき、強い力で壁に押し付けて設置しようとした場合、スペーサ５に強い押圧力がかかるが、スペーサ５は樹脂で成形され、スペーサ５のワイヤーカバー４に接する面、すなわち機械室対向面の外周縁に亘ってラウンド部７を備えているので、スペーサ５の押圧力によりワイヤーカバー４の金属鋼線の表面の樹脂コーティングが損傷することを防止す
ることができる。これにより、ワイヤーカバー４の防錆を保持でき信頼性を確保することができる。なお、スペーサ５のワイヤーカバー４に接する面に形成するラウンド部７のラウンド寸法は、ワイヤーの径よりやや大きい寸法としているが、樹脂コーティングが損傷しない程度のラウンド寸法であれば、これに限定されるものではない。
【００２７】
また、ワイヤーカバー４は、水平、垂直方向に所定のピッチでワイヤーを格子状に形成し、スペーサ５の直径は、少なくとも水平、垂直方向のどちらかのワイヤーの少なくともピッチ以上としているので、ワイヤーカバー４を介してのスペーサ５の固定が確実となり、自動販売機１の背面に形成する空間を確実に保持することができる。
【００２８】
また、ワイヤーカバー４は、垂直（上下）方向の下端面に突出部８を有し、突出部８を機械室構成面の下辺に差し込んで仮固定し、その後、ワイヤーカバー４の上部左右の２箇所を固定手段であるビス６で開口部３の周縁面にスペーサ５を固定するので、ワイヤーカバー４の組立性を高めながらワイヤーカバー４の固定が確実となり作業性を高めることができる。また、少なくとも、スペーサ５を機械室２に対して左右２箇所に固定しているので、背面の空間寸法を確実に確保することができる。
【００２９】
また、スペーサ５の奥面に凹部９を有し、凹部９内に固定手段であるビス６の取付部を一体成形で設けているので、固定手段としてのビス６がスペーサ５の奥面より後方に位置することなく、確実にスペーサ５を機械室構成面に固定することができる。このとき、ビス６の取付部には、金属ワッシャーをインサート成形することもできる。これにより、取付部の強度を強化することができる。さらにまた、スペーサ５の奥面に複数の肉抜き孔１０を設けることで、樹脂材料の低減、スペーサ５の強度を高めることができる。
【００３０】
なお、本実施の形態では、固定手段としてビス６を用いたもので説明したが、これに限定されるものではなく、固定機能を有するものであればよい。
【産業上の利用可能性】
【００３１】
以上のように、本発明にかかる自動販売機は、スペーサはワイヤーカバーを介して固定手段で機械室構成面に固定する際、スペーサのラウンド部がワイヤーカバー表面の樹脂コーティングを損傷することがなく、ワイヤーカバーの防錆を保持でき信頼性を確保することができるので、機械室背面に空間を形成するためのスペーサを必要とするあらゆる機器に適用できる。
【符号の説明】
【００３２】
１  自動販売機
２  機械室
３  開口部
４  ワイヤーカバー
５  スペーサ
６  ビス
７  ラウンド部
８  突出部
９  凹部
【図１】
0005387216.tif 000002
【図２】
0005387216.tif 000003
【図３】
0005387216.tif 000004
【図４】
0005387216.tif 000005
【図５】
0005387216.tif 000006
【図６】
0005387216.tif 000007